(57)【要約】      （修正有）【課題】防水性に優れた電子機器を提供する。【解決手段】携帯電話機は、フロントケース３ｂの第１接着領域とリアケース３ｃの第２接着領域との間に配置され、第１接着領域と第２接着領域とを全域にわたってつなぐ環状の接着部材９０と、フロントケース３ｂにおける第１接着領域よりも外縁側であって第１係合部１１０よりも内側に配置される複数の突起部１００であって、第１接着領域における環状方向に平行な方向において所定間隔をあけて配置される複数の突起部１００と、を備える。【選択図】図４
2014003539.tif 000002
【特許請求の範囲】
【請求項１】
筐体を有する電子機器であって、
前記筐体を構成する第１ケース部材（下側ケース部材）であって、
前記筐体における内部側に位置する第１内面と、
前記第１内面に外縁の内側に環状に形成される第１接着領域と、
外縁から外側に突出して形成される第１係合部と、を有する第１ケース部材と、
前記筐体を構成し、前記第１ケース部材に取り付けられる第２ケース部材（上側ケース部材）であって、
前記筐体における内部側に位置する第２内面と、
前記第２内面に前記第１接着領域に対応して形成され、前記第１接着領域に対向して配置される第２接着領域と、
外縁側に配置され、前記第１係合部と係合する第２係合部と、を有する第２ケース部材と、
前記第１接着領域と前記第２接着領域との間に配置され、前記第１接着領域と前記第２接着領域とを全域にわたってつなぐ環状の接着部材と、
前記第１ケース部材における前記第１接着領域よりも外縁側であって前記第１係合部よりも内側に配置され、又は、前記第２ケース部材における前記第２接着領域よりも外縁側であって前記第２係合部よりも内側に配置される複数の突起部であって、前記第１接着領域又は前記第２接着領域における環状方向に平行な方向において所定間隔をあけて配置される複数の突起部と、を備える
電子機器。
【請求項２】
前記複数の突起部のうち、少なくとも１の突起部は、前記第１係合部及び前記第２係合部の近傍に配置される
請求項１に記載の電子機器。
【請求項３】
前記複数の突起部のうち、少なくとも１の突起部は、前記環状方向に交差する所定方向において、前記第１係合部及び前記第２係合部と並んで配置される
請求項１又は２に記載の電子機器。
【請求項４】
前記複数の突起部のうち、少なくとも２つの突起部は、前記環状方向において、前記第１係合部又は前記第２係合部を挟むように配置される
請求項１から３のいずれかに記載の電子機器。
【請求項５】
前記複数の突起部は、前記第１ケース部材側に配置される
請求項１から４のいずれかに記載の電子機器。
【請求項６】
前記第１ケース部材における外縁及び／又は前記第２ケース部材における外縁に形成され、前記接着部材と外空間とを連通させるスリットと、を備える
請求項１から５のいずれかに記載の電子機器。
【請求項７】
前記複数の突起それぞれは、前記スリットと前記接着部材との間に配置されない
請求項６に記載の電子機器。
【発明の詳細な説明】
【技術分野】
【０００１】
本発明は、防水性を有する電子機器に関する。
【背景技術】
【０００２】
従来、電子機器としての携帯電話機において、防水性を有するタイプが存在する。
例えば、パッキン部材を利用して防水性を向上させた携帯電話機が提案されている（例えば、特許文献１参照）。
【０００３】
しかし、防水性の向上のためにパッキン部材を利用する場合、高い寸法精度が要求される。これは、製造上の負担やコスト増の原因となる場合がある。
【０００４】
これに対し、ボンド等の接着剤を利用して、防水性を向上させた電子機器が存在する。例えば、第１ケース部材と第２ケース部材との間に接着剤を環状に塗布することで、防水性を向上させた電子機器が存在する。
【先行技術文献】
【特許文献】
【０００５】
【特許文献１】特開２００８−０６０８６０号公報
【発明の概要】
【発明が解決しようとする課題】
【０００６】
上述の接着剤を利用して防水性を向上させた電子機器において、組み立て時に第１ケース部材と第２ケース部材との距離を一定に維持する必要がある。
しかし、組立工程において、第１ケース部材と第２ケース部材とを係合させる際、互いの係合部付近に押圧力が加わることで、第１ケース部材と第２ケース部材との距離が一時的に狭くなる場合がある。
【０００７】
この場合、第１ケース部材と第２ケース部材との間に配置された硬化前の接着剤は、上記距離が一時的に短くなった部分において配置される量が少なくなる場合がある。
この状態で接着剤が硬化した場合、上記距離が一時的に短くなった部分は、接着剤で十分に塞がれないことがある。
この場合、電子機器において、防水性が低下する場合がある。
【０００８】
本発明は、防水性に優れた電子機器を提供することを目的とする。
【課題を解決するための手段】
【０００９】
本発明は、筐体を有する電子機器であって、前記筐体を構成する第１ケース部材であって、前記筐体における内部側に位置する第１内面と、前記第１内面に外縁の内側に環状に形成される第１接着領域と、外縁から外側に突出して形成される第１係合部と、を有する第１ケース部材と、前記筐体を構成し、前記第１ケース部材に取り付けられる第２ケース部材であって、前記筐体における内部側に位置する第２内面と、前記第２内面に前記第１接着部に対応して形成され、前記第１接着部に対向して配置される第２接着領域と、外縁側に配置され、前記第１係合部と係合する第２係合部と、を有する第２ケース部材と、前記第１接着領域と前記第２接着領域との間に配置され、前記第１接着領域と前記第２接着領域とを全域にわたってつなぐ環状の接着部材と、前記第１ケース部材における前記第１接着領域よりも外縁側であって前記第１係合部よりも内側に配置され、又は、前記第２ケース部材における前記第２接着領域よりも外縁側であって前記第２係合部よりも内側に配置される複数の突起部であって、前記第１接着領域又は前記第２接着領域における環状方向に平行な方向において所定間隔をあけて配置される複数の突起部と、を備える電子機器に関する。
【００１０】
また、電子機器において、前記複数の突起部のうち、少なくとも１の突起部は、前記第１係合部及び前記第２係合部の近傍に配置されることが好ましい。
【００１１】
また、電子機器において、前記複数の突起部のうち、少なくとも１の突起部は、前記環状方向に交差する所定方向において、前記第１係合部及び前記第２係合部と並んで配置されることが好ましい。
【００１２】
また、電子機器において、前記複数の突起部のうち、少なくとも２つの突起部は、前記環状方向において、前記第１係合部又は前記第２係合部を挟むように配置されることが好ましい。
【００１３】
また、電子機器において、前記複数の突起部は、前記第１ケース部材側に配置されることが好ましい。
【００１４】
また、電子機器は、前記第１ケース部材における外縁及び／又は前記第２ケース部材における外縁に形成され、前記接着部材と外空間とを連通させるスリットと、を備えることが好ましい。
【００１５】
また、電子機器において、前記複数の突起それぞれは、前記スリットと前記接着部材との間に配置されないことが好ましい。
【発明の効果】
【００１６】
本発明によれば、防水性に優れた電子機器を提供することができる。
【図面の簡単な説明】
【００１７】
【図１】開状態の携帯電話機１における斜視図である。
【図２】閉状態の携帯電話機１における斜視図である。
【図３】スリット２００側からみた第２筐体３における斜視図である。
【図４】第２筐体３の分解斜視図である。
【図５】第２筐体３における突起部１００の配置を説明する図である。
【図６】接着部材９０と、突起部１００と、第１係合部１１０との位置関係を説明する部分拡大図である。
【図７】図５におけるＡ−Ａ断面図である。
【図８】スリット２００を説明するための第２筐体３の部分拡大図である。
【図９】図８におけるＢ−Ｂ断面図である。
【図１０】リアケース３ｃをフロントケース３ｂに取り付ける手順を説明する図である。
【図１１Ａ】リアケース３ｃをフロントケース３ｂに取り付ける手順を説明する図である。
【図１１Ｂ】リアケース３ｃをフロントケース３ｂに取り付ける手順を説明する図である。
【図１２】リアケース３ｃをフロントケース３ｂに取り付ける手順を説明する図である。
【図１３Ａ】接着部材９０で接着された状態のフロントケース３ｂ及びリアケース３ｃを解体する手順を説明する図である。
【図１３Ｂ】接着部材９０で接着された状態のフロントケース３ｂ及びリアケース３ｃを解体する手順を説明する図である。
【図１４】接着部材９０で接着された状態のフロントケース３ｂ及びリアケース３ｃを解体する手順を説明する図である。
【図１５】接着部材９０で接着された状態のフロントケース３ｂ及びリアケース３ｃを解体する手順を説明する図である。
【発明を実施するための形態】
【００１８】
図１から図３により、電子機器としての携帯電話機１における基本構造を説明する。図１は、開状態の携帯電話機１における斜視図である。図２は、閉状態の携帯電話機１における斜視図である。図３は、スリット２００側からみた第２筐体３における斜視図である。
【００１９】
図１及び図２に示すように、携帯電話機１は、第１筐体２と、第２筐体３（筐体）と、を備える。また、携帯電話機１は、第１筐体２と第２筐体３とを開閉可能に連結する連結部４を備える。
携帯電話機１は、開状態と閉状態とに状態変化（変形）可能に構成される。ここで、閉状態とは、第１筐体２と第２筐体３とが互いに重なるように配置された状態であり、詳細には、両筐体における所定の面同士が対向するように配置された状態である。本実施形態においては、第１筐体２における第１筐体内面２Ａと、第２筐体３における第２筐体内面３Ａとが互いに対向するように配置された状態である。
また、開状態とは、第１筐体２と第２筐体３とが互いに重ならないように配置された状態であり、詳細には、両筐体における所定の面同士が対向せずに離間して配置された状態である。本実施形態においては、第１筐体２における第１筐体内面２Ａと、第２筐体３における第２筐体内面３Ａとが互いに対向せずに離間して配置された状態である。
【００２０】
第１筐体２は、第１筐体内面２Ａと、第１筐体外面２Ｂとを有する。第１筐体内面２Ａは、携帯電話機１が閉状態において第２筐体３の第２筐体内面３Ａと対向して配置される面である。
第１筐体２は、外面（外郭）がフロントケース２ａと、リアケース２ｂと、バッテリーカバー２ｃとにより構成される。
第１筐体２には、操作キー群１１と、使用者が通話時に発した音声が入力される音声入力部１２とがそれぞれ外部に露出して配置される。
【００２１】
操作キー群１１は、各種設定や電話帳機能やメール機能等の各種機能を作動させるための機能操作キー１３と、電話番号の数字やメール等の文字等を入力するための入力操作キー１４と、各種操作における決定や上下左右方向のスクロール等を行う決定操作キー１５とを含んで構成される。操作キー群１１を構成する各キーそれぞれには、携帯電話機１における開閉状態、各種モードや起動されているアプリケーションの種類等に応じて、それぞれ所定の機能が割り当てられる。そして、使用者により各キーが押圧されることにより、押圧時において各キーに割り当てられている機能に応じた動作が携帯電話機１において実行される。
【００２２】
音声入力部１２は、第１筐体２の長手方向における連結部４側と反対の外端部側に配置される。つまり、音声入力部１２は、携帯電話機１が開状態において一方の外端部側に配置される。
【００２３】
第２筐体３は、第２筐体内面３Ａと、第２筐体外面３Ｂとを有する。第２筐体内面３Ａは、携帯電話機１が閉状態において第１筐体２の第１筐体内面２Ａと対向して配置される面である。
第２筐体３は、外面（外郭）がフロントパネル３ａと、第１ケース部材としてのフロントケース３ｂと、第２ケース部材としてのリアケース３ｃとにより構成される。
第２筐体３には、メイン表示部２１と、サブ表示部２２と、通話の相手側の音声を出力する音声出力部２５とが外部に露出して配置される。
【００２４】
メイン表示部２１は、第２筐体３における第２筐体内面３Ａに配置される。メイン表示部２１は、文字情報や画像情報等の各種情報を表示可能に構成される。メイン表示部２１は、携帯電話機１が開状態において、使用者により視認される表示部である。
【００２５】
サブ表示部２２は、第２筐体３における第２筐体外面３Ｂに配置される。サブ表示部２２は、メイン表示部２１より表示領域が小さい表示部である。サブ表示部２２は、文字情報や画像情報等の各種情報を表示可能に構成される。サブ表示部２２は、携帯電話機１が閉状態において、使用者により視認される表示部である。
【００２６】
音声出力部２５は、第２筐体３における第２筐体内面３Ａに配置される。音声出力部２５は、第２筐体３の長手方向における連結部４側と反対の外端部側に配置される。つまり、音声出力部２５は、携帯電話機１が開状態において他方の外端部側に配置される。
【００２７】
ここで、本実施形態において、第１筐体２及び第２筐体３は、防水性を有するように構成される。例えば、第２筐体３において、フロントケース３ｂとリアケース３ｃとは、後述する外縁の内側に環状に配置される接着部材９０により互いに接着される。これにより、第２筐体３は、防水性を有するよう構成される。
【００２８】
また、第２筐体３は、フロントケース３ｂとリアケース３ｃとの間に所定間隔で配置される後述する複数の突起部１００を有する。複数の突起部１００については、後に詳述する。
【００２９】
また、第２筐体３は、リアケース３ｃの外縁に形成されるスリット２００を有する。本実施形態において、スリット２００は、接着部材９０により接着されたフロントケース３ｂ及びリアケース３ｃを解体させるための板状部材Ｐが挿入される開口である。スリット２００は、接着部材９０により接着されたフロントケース３ｂとリアケース３ｃとを互いに離間させるための板状部材Ｐが挿入される開口である。スリット２００についても、後に詳述する。
【００３０】
連結部４は、開閉ヒンジ機構を有して構成される。連結部４は、第１筐体２の一端部と第２筐体３の一端部との間に配置される。連結部４は、第１筐体２の上端部と第２筐体３の下端との間に配置される。連結部４は、第１筐体２と第２筐体３とを互いに回動可能に連結する。詳細には、連結部４は、第１筐体２と第２筐体３とをヒンジ機構における回動軸を中心に回動可能に連結する。
【００３１】
続けて、携帯電話機１を構成する基本的な部材について説明する。
第１筐体２は、キー構造部と、フロントケース２ａと、キー基板と、シールドケース体と、回路基板と、アンテナ部と、リアケース２ｂと、バッテリーと、バッテリーカバー２ｃとを備える。
【００３２】
第１筐体２における外郭は、フロントケース２ａとリアケース２ｂとが互いの凹状の内側面が向き合うように配置され、互いの外周縁が重なり合うようにして結合されると共に、リアケース２ｂにバッテリーカバー２ｃが装着されることで形成される。
【００３３】
また、キー構造部の一部と、シールドケース体と、回路基板と、アンテナ部と、バッテリー８０とは、フロントケース２ａとリアケース２ｂとの間に配置される。キー構造部の一部と、シールドケース体と、回路基板と、アンテナ部と、バッテリー８０とは、第１筐体２の内部に内蔵される。
【００３４】
フロントケース２ａには、キー開口部と、キー開口部の外縁に形成される載置部とが形成される。載置部には、キー構造部が載置される。
キー開口部は、キー構造部における後述する操作部材を外部に露出させる。
【００３５】
キー構造部は、フロントケース２ａの外面側に配置される。
キー構造部は、操作部材と、キーシートと、キー基板とを有して構成される。
操作部材は、複数のキー操作部材により構成される。複数の操作キー部材それぞれは、キーシートにおける所定箇所に接着される。キーシートに接着された複数の操作キー部材それぞれにおける押圧面は、キー開口部を介して外部に露出して配置される。
キーシートは、可撓性を有するシリコンゴム製のシート状部材である。キーシートには、上述の通り、操作部材が取り付けられる。
キー基板は、複数のキースイッチを有する。複数のキースイッチそれぞれは、各操作部材に対応する位置に配置される。キースイッチは、例えば、椀状に湾曲して立体的に形成された金属板のメタルドームと、スイッチ端子とを有して構成される。
【００３６】
シールドケース体は、薄型の略直方体形状であって一の広い面が開口した形状を有する導電性の部材である。シールドケース体は、シールドケースとして機能する。シールドケース体は、外部からの高周波等のノイズが回路基板に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。
【００３７】
回路基板は、平板状の基板部と、基板部に実装される電子部品、各種回路ブロック及び基準電位パターン層と、を有する。電子部品は、例えば、アンテナ部により送受信される信号を処理する信号処理部を含む電子部品等である。また、回路ブロックは、例えば、ＲＦ回路や電源回路等である。基準電位パターン層は、基板部の外縁や、各回路ブロックを区画する箇所に形成される。基準電位パターン層、例えば、回路基板の表面に導電性の部材を印刷することで形成される。
【００３８】
アンテナ部は、例えば、アンテナエレメントを有して構成さる。アンテナ部は、例えば、携帯電話機１における連結部４側と反対の端部側に配置される。
【００３９】
バッテリーは、リアケース２ｂに形成された開口部を介して第１筐体２に収容配置される。バッテリーカバー２ｃは、リアケース２ｂにおける外面側から開口部を覆うように配置される。
【００４０】
第１筐体２には、上述した部材のほか、音声入力部１２を構成するマイク等の部材が内部に収容配置される。
【００４１】
第２筐体３は、フロントパネル３ａと、メイン表示部２１と、フロントケース３ｂと、サブ回路基板と、サブ表示部２２と、リアケース３ｃとを備える。
【００４２】
第２筐体３における外郭は、フロントケース３ｂとリアケース３ｃとが互いの外周縁が重なり合うようにして結合されると共に、フロントケース３ｂにフロントパネル３ａが取り付けられることで形成される。
【００４３】
フロントパネル３ａは、平板状の光透過性部材である。フロントパネル３ａは、メイン表示部２１を保護すると共に、メイン表示部２１により表示された画像等を外部に透過させる部材である。
【００４４】
メイン表示部２１は、液晶パネルと、液晶パネルを駆動する駆動回路と、液晶パネルの背面側から光を照射するバックライト等の光源部とを含んで構成される。
メイン表示部２１は、フロントケース３ｂにおけるフロントパネル３ａ側に配置される。
【００４５】
サブ基板は、平板状の部材であって、メイン表示部２１及びサブ表示部２２等と電気的に接続される部材である。サブ基板には、カメラモジュール等が実装されていてもよい。
【００４６】
サブ表示部２２は、フロントケース３ｂにおけるリアケース３ｃ側に積層配置される。
サブ表示部２２は、液晶パネルと、液晶パネルを駆動する駆動回路と、液晶パネルの背面側から光を照射するバックライト等の光源部とを含んで構成される。サブ表示部２２は、表示領域がメイン表示部２１の表示領域より小さい表示部である。サブ表示部２２は、第２筐体３の厚さ方向である第３方向Ｚにおいて、表示領域がメイン表示部２１の表示領域と反対側を向いて配置される。
フロントケース３ｂ及びリアケース３ｃについては、後に詳述する。
【００４７】
続けて、図４から図９により、フロントケース３ｂ及びリアケース３ｃを含む第２筐体３について説明する。図４は、第２筐体３の分解斜視図である。図５は、第２筐体３における突起部１００の配置を説明する図である。図６は、接着部材９０と、突起部１００と、第１係合部１１０との位置関係を説明する部分拡大図である。図７は、図５におけるＡ−Ａ断面図である。図８は、スリット２００を説明するための第２筐体３の部分拡大図である。図９は、図８におけるＢ−Ｂ断面図である。
【００４８】
図４から図７により、第２筐体３における防水構造について説明する。
フロントケース３ｂとリアケース３ｃとは、後述する接着部材９０により接合される。本実施形態において、接着部材９０がフロントケース３ｂ及びリアケース３ｃにおける外縁の内側に環状に形成されることで、第２筐体３は、防水性を有するように構成される。
【００４９】
図４に示すように、フロントケース３ｂは、第２筐体３における内部側に位置する第１内面３０Ａと、第１内面３０Ａに外縁の内側に環状に形成される第１接着領域９１と、外縁から外側に突出して形成される第１係合部１１０と、第１接着領域９１よりも外縁側であって第１係合部１１０よりも内側に配置される複数の突起部１００と、を有する。
【００５０】
第１内面３０Ａは、第２筐体３における内部側に位置する面である。第１内面３０Ａは、フロントケース３ｂにおいて、第２筐体内面３Ａと反対側の面である。
第１内面３０Ａには、第１接着領域９１と、第１係合部１１０と、複数の突起部１００とが配置される。
また、第１内面３０Ａは、接着部材９０により、リアケース３ｃにおける第２内面３０Ｂに接着される。
【００５１】
第１接着領域９１は、第１内面３０Ａに形成される。第１接着領域９１は、第１内面３０Ａにおける外縁の内側に環状に形成される。第１接着領域９１は、メイン表示部２１、サブ表示部２２及びサブ基板等の部材を囲むように環状に形成される。
第１接着領域９１は、接着部材９０が接着する領域である。第１接着領域９１は、接着部材９０における一端側が接着する領域である。
【００５２】
第１係合部１１０は、フロントケース３ｂにおける外縁から外側に突出して形成される。本実施形態において、第１係合部１１０は、フロントケース３ｂにおける第１内面３０Ａと連続すると共に交差して配置される側面に形成される。
第１係合部１１０は、後述するリアケース３ｃの第２係合部１２０と係合する係合部である。第１係合部１１０近傍の領域は、リアケース３ｃをフロントケース３ｂに係合させる作業において、第２筐体３の厚さ方向である第３方向Ｚへの力が加わる領域である。
【００５３】
複数の突起部１００は、第１接着領域９１よりも外縁側であって第１係合部１１０よりも内側に配置される。複数の突起部１００は、所定方向において、第１接着領域９１と第１係合部１１０との間に配置される。
【００５４】
複数の突起部１００それぞれは、第１接着領域９１における環状方向に平行な方向において所定間隔をあけて配置される。複数の突起部１００同士の間隔は、一定である必要はなく、それぞれ異なるように構成されてもよい。また、複数の突起部１００は、第１接着領域９１の外縁側における一部の領域に配置されていればよく、第１接着領域９１における全域に対応するように配置されなくてもよい。
【００５５】
図４及び図６に示すように、複数の突起部１００のうち、少なくとも１の突起部は、第１係合部１１０の近傍に配置される。複数の突起部１００のうち、少なくとも１の突起部は、第１係合部１１０及び第２係合部１２０の近傍に配置される。
本実施形態において、複数の突起部１００のうち、例えば、突起部１００ａ、１００ｂ、１００ｃは、第１係合部１１０及び第２係合部１２０の近傍に配置される。
【００５６】
具体的には、複数の突起部１００のうち、突起部１００ａは、接着部材９０の環状方向に交差する所定方向としての第１方向Ｘにおいて、第１係合部１１０及び第２係合部１２０と並んで配置される。
【００５７】
また、複数の突起部１００のうち、２つの突起部１００ｂ、１００ｃは、上述の環状方向において、第１係合部１１０を挟むように配置される。２つの突起部１００ｂ、１００ｃ同士の間隔は、特に限定されないが、例えば、１ｃｍから３ｃｍ、好ましくは１．５ｃｍから２ｃｍである。
【００５８】
図４及び図７に示すように、リアケース３ｃは、フロントケース３ｂに取り付けられる。本実施形態において、リアケース３ｃは、第１部材３１ａと、第２部材３１ｂとを有して構成される。第１部材３１ａと第２部材３１ｂとは、両面テープ等の接着部材３００により、一体化されている。
【００５９】
リアケース３ｃは、第２筐体３における内部側に位置する第２内面３０Ｂと、第２内面３０Ｂに第１接着領域９１に対応して形成され、第１接着領域９１に対向して配置される第２接着領域９２と、外縁側に配置され、第１係合部１１０と係合する第２係合部１２０と、を有する。
【００６０】
第２内面３０Ｂは、第２筐体３における内部側に位置する面である。第２内面３０Ｂは、リアケース３ｃにおいて、第２筐体外面３Ｂと反対側の面である。
第２内面３０Ｂには、第２接着領域９２が形成される。
【００６１】
第２接着領域９２は、第２内面３０Ｂに形成される。第２接着領域９２は、第１接着領域９１に対応して形成される。第２接着領域９２は、第１接着領域９１と同様に、環状に形成される。第２接着領域９２は、第２内面３０Ｂにおける外縁の内側に環状に形成される。
また、第２接着領域９２は、第１接着領域９１に対向して配置される。
第２接着領域９２は、接着部材９０が接着する領域である。第２接着領域９２は、接着部材９０における他端側が接着する領域である。
【００６２】
第２係合部１２０は、リアケース３ｃにおける外縁側に配置される。第２係合部１２０は、第１係合部１１０と係合する係合部である。第２係合部１２０は、リアケース３ｃの第２筐体外面３Ｂにおける第２係合部１２０近傍の所定領域がフロントケース３ｂ側に押圧されることで、撓み変形すると共に第１係合部１１０に係合される。
【００６３】
接着部材９０は、第１接着領域９１と第２接着領域９２との間に配置される。接着部材９０は、第１接着領域９１と第２接着領域９２とを全域にわたってつなぐよう配置される。接着部材９０は、第１接着領域９１及び第２接着領域９２と同様に、環状に形成される。
接着部材９０は、上述の通り、フロントケース３ｂとリアケース３ｃとを接着させる。また、接着部材９０は、フロントケース３ｂとリアケース３ｃとの間において隙間がないようフロントケース３ｂとリアケース３ｃとを接着させる。接着部材９０は、フロントケース３ｂとリアケース３４ｃとを防水性を有した状態で接着させる。
【００６４】
接着部材９０は、例えば、液体又はゲル状の接着剤を硬化させたものである。接着部材９０は、例えば、硬化前の接着剤が第２接着領域９２に沿って塗布されたリアケース３ｃをフロントケース３ｂに取り付けると共に、所定時間保持して接着剤を硬化させることで形成される。
【００６５】
続けて、図８及び図９により、フロントケース３ｂに形成されたスリット２００について説明する。
図８及び図９に示すように、第２筐体３は、スリット２００を有する。第２筐体３は、連結部４側の側面に形成されるスリット２００を有する。
【００６６】
図９に示すように、スリット２００は、接着部材９０と外部空間とを連通させる。スリット２００は、接着部材９０により接着されたフロントケース３ｂ及びリアケース３ｃを解体するための板状部材が挿入される開口部である。
【００６７】
スリット２００は、上述の通り、第２筐体３における連結部４側の側面に形成される。本実施形態において、スリット２００は、リアケース３ｃに形成される。スリット２００は、リアケース３ｃの外縁に形成される。スリット２００は、リアケース３ｃの外縁における所定領域をフロントケース３ｂ側に窪む凹状にすることで形成される。
【００６８】
ここで、複数の突起部１００それぞれは、スリット２００と接着部材９０との間に配置されない（図５参照）。本実施形態において、複数の突起部１００それぞれは、スリット２００から挿入された板状部材の移動を妨げる位置に配置されない。
【００６９】
続けて、図１０から図１２により、リアケース３ｃをフロントケース３ｂに取り付ける手順を説明する。図１０から図１２は、リアケース３ｃをフロントケース３ｂに取り付ける手順を説明する図である。
【００７０】
図１０に示すように、まず、作業者は、液体状又はゲル状の接着剤（接着部材９０）をリアケース３ｃにおける第２接着領域９２に塗布する。
そして、作業者は、接着剤（接着部材９０）が塗布されたリアケース３ｃを、第２係合部１２０が第１係合部１１０の近傍に位置する所定位置に配置する。
【００７１】
続けて、図１１Ａ及び図１１Ｂに示すように、作業者は、リアケース３ｃの第２筐体外面３Ｂにおける第２係合部１２０の近傍領域に、力Ｆ１を矢印方向に加える。これにより、第２係合部１２０は、撓み変形しながらフロントケース３ｂ側に移動して、第１係合部１１０に係合する。
【００７２】
ここで、本実施形態において、突起部１００ａは、第２筐体３の幅方向である第１方向Ｘにおいて、接着部材９０と第１係合部１１０との間に配置される。また、突起部１００ａは、第１係合部１１０の近傍に配置される。
【００７３】
これにより、上述の取り付け作業工程において、突起部１００ａは、リアケース３ｃにおける第２内面３０Ｂがフロントケース３ｂにおける第１内面３０Ａに過剰に近づくことを規制する。そのため、本実施形態における携帯電話機１は、リアケース３ｃの一部が過剰にフロントケース３ｂに近づくよう変形した場合に生じる硬化前の接着剤の移動を抑制する。携帯電話機１は、所定領域に配置される接着剤が少なくなる不具合の発生を抑制可能に構成される。
【００７４】
続けて、図１２に示すように、作業者は、第２係合部１２０が第１係合部１１０に係合した第２筐体３を所定時間、その状態で保持する。
これにより、第１接着領域９１と第２接着領域９２との間に配置される接着剤が硬化して、接着部材９０が形成される。上述の通り、接着部材９０は、フロントケース３ｂとリアケース３ｃとを防水性を有した状態で接着させる。
【００７５】
ここで、本実施形態において、携帯電話機１は、リアケース３ｃの一部が過剰にフロントケース３ｂに近づくよう変形した場合に生じる硬化前の接着剤の移動を抑制するので、硬化後において接着剤（接着部材）が少ない箇所ができるという不具合の発生を抑制できる。これにより、携帯電話機１は、防水性が向上される。
【００７６】
続けて、図１３Ａから図１５により、接着部材９０で接着された状態のフロントケース３ｂ及びリアケース３ｃを解体する手順を説明する。図１３Ａから図１５は、接着部材９０で接着された状態のフロントケース３ｂ及びリアケース３ｃを解体する手順を説明する図である。
【００７７】
図１３Ａ及び図１３Ｂに示すように、作業者は、解体用の板状部材Ｐをスリット２００に挿入するため、所定位置に配置する。
【００７８】
続けて、図１４に示すように、作業者は、板状部材Ｐの先端をスリット２００に挿入すると共に、矢印方向に押し入れる。これにより、板状部材Ｐは、接着部材９０に突き刺さる。ここで、接着部材９０の外縁側に配置される複数の突起部１００は、いずれもスリット２００と接着部材９０との間に配置されない。そのため、板状部材Ｐは、複数の突起部１００のいずれにも挿入方向への移動が規制されない。
【００７９】
続けて、図１５に示すように、作業者は、板状部材Ｐにおける先端側と反対側の端部を矢印方向に移動させる。作業者は、接着部材９０に突き刺さった状態の板状部材Ｐにおける先端側と反対側の端部を、挿入方向と交差する方向、例えば、本実施形態における第２筐体３の厚さ方向である第３方向Ｚに移動させる。
これにより、接着部材９０は、板状部材Ｐにより環状方向において裂かれ、又は、第１接着領域９１若しくは第２接着領域９２から剥離される。
【００８０】
ここで、本実施形態において、作業者は、フロントケース３ｂ及びリアケース３ｃを互いに引き剥がすような力に対しては強い接着部材９０に対して切れ目を入れることで、接着部材９０で接着された状態のフロントケース３ｂ及びリアケース３ｃを容易に解体している。
本実施形態における携帯電話機１は、接着部材９０でしっかりと接着された状態のフロントケース３ｂ及びリアケース３ｃを容易に解体可能に構成される。
【００８１】
本実施形態によれば、防水性に優れた携帯電話機１を提供することができる。
また、本実施形態によれば、携帯電話機１は、フロントケース３ｂにおける第１接着領域９１よりも外縁側であって第１係合部１１０よりも内側に配置される複数の突起部１００であって、第１接着領域９１における環状方向に平行な方向において所定間隔をあけて配置される複数の突起部１００を備える。これにより、携帯電話機１は、リアケース３ｃの一部が過剰にフロントケース３ｂに近づくよう変形した場合に生じる硬化前の接着剤の移動を抑制するので、硬化後において接着剤（接着部材）が少ない箇所ができるという不具合の発生を抑制できる。これにより、携帯電話機１は、防水性が向上される。
【００８２】
また、本実施形態によれば、複数の突起部１００が所定間隔で配置されるので、携帯電話機１は、組み立て時において接着剤の供給量がばらついた場合に生じる不具合の発生を抑制できる。
【００８３】
また、本実施形態において、複数の突起部１００のうち、少なくとも１の突起部は、第１係合部１１０及び第２係合部１２０の近傍に配置される。
これにより、携帯電話機１は、上述の通り、硬化後において接着剤（接着部材）が少ない箇所ができるという不具合の発生をより好適に抑制できる。これにより、携帯電話機１は、防水性が更に向上される。
【００８４】
また、本実施形態において、複数の突起部１００のうち、少なくとも１の突起部は、環状方向に交差する所定方向において、第１係合部及び前記第２係合部と並んで配置される。この場合、突起部は、リアケース３ｃの変形を好適に規制する位置に配置されているといえる。
これにより、携帯電話機１は、上述の通り、硬化後において接着剤（接着部材）が少ない箇所ができるという不具合の発生をより好適に抑制できる。これにより、携帯電話機１は、防水性が更に向上される。
【００８５】
また、本実施形態において、複数の突起部１００のうち、少なくとも２つの突起部は、環状方向において、第１係合部又は前記第２係合部を挟むように配置される。この場合も、突起部は、リアケース３ｃの変形を好適に規制する位置に配置されているといえる。
これにより、携帯電話機１は、上述の通り、硬化後において接着剤（接着部材）が少ない箇所ができるという不具合の発生をより好適に抑制できる。これにより、携帯電話機１は、防水性が更に向上される。
【００８６】
また、本実施形態において、複数の突起部１００は、フロントケース３ｂ側に配置される。ここで、本実施形態において、複数の突起部１００は、組み立て時において垂直方向下側に配置されるフロントケース３ｂに形成される。これにより、携帯電話機１は、組み立て時において、硬化前の接着剤の移動を複数の突起部１００が規制するよう構成される。
【００８７】
また、本実施形態において、第２筐体３は、リアケース３ｃにおける外縁に形成され、接着部材９０と外空間とを連通させるスリット２００を有する。これにより、携帯電話機１は、拐帯用の板状部材Ｐを挿入して接着部材９０に突きさすことが可能に構成される。これにより、携帯電話機１は、簡易に解体可能に構成される。
【００８８】
また、本実施形態において、複数の突起部１００それぞれは、スリット２００と接着部材９０との間に配置されないよう構成される。複数の突起部１００は、スリット２００から挿入された板状部材Ｐの移動を規制しない位置に配置される。
これにより、携帯電話機１は、好適な防水性を有すると共に、簡易に解体可能に構成される。
【００８９】
以上、好適な実施形態について説明したが、本発明は上述した実施形態に限定されることなく種々の形態で実施することができる。例えば、本実施形態において、電子機器として携帯電話機１について説明しているが、これに限定されず、電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００９０】
また、本実施形態において、連結部４により折り畳み可能な携帯電話機１の説明をしているが、このような折り畳み式ではなく、第１筐体２と第２筐体３との重ね合わせた状態から一方の筐体を一方向にスライドさせるようにしたスライド式や、第１筐体２と第２筐体３との重ね合せ方向に沿う軸線を中心に一方の筐体を回転させるようにした回転（ターン）式や、第１筐体２と第２筐体３とが一つの筐体に配置され連結部を有さない型式（ストレートタイプ）でもよい。また、携帯電話機１は、開閉及び回転可能ないわゆる２軸ヒンジタイプであってもよい。
【００９１】
また、本実施形態において、複数の突起部１００は、第１ケース部材であるフロントケース３ｂに形成されるが、これに限定されず、第２ケース部材であるリアケース３ｃに形成されてもよい。例えば、複数の突起部１００は、リアケース３ｃにおける第２接着領域９２よりも外側であって第２係合部１２０よりも内側に配置され、第２接着領域９２における環状方向に平行な方向において所定間隔をあけて配置されるよう構成されてもよい。
【００９２】
また、本実施形態において、スリット２００は、リアケース３ｃの外縁に形成されるが、これに限定されず、フロントケース３ｂの外縁に形成されてもよい。また、スリット２００は、フロントケース３ｂとリアケース３ｃとの双方の外縁に形成された凹部により形成されてもよい。
【符号の説明】
【００９３】
１          携帯電話機（電子機器）
２          第１筐体
３          第２筐体（筐体）
３ｂ        フロントケース（第１ケース部材）
３ｃ        リアケース（第２ケース部材）
３０Ａ      第１内面
３０Ｂ      第２内面
９０        接着部材
９１        第１接着領域
９２        第２接着領域
１００      複数の突起部
１１０      第１係合部
１２０      第２係合部
【図１】
2014003539.tif 000003
【図２】
2014003539.tif 000004
【図３】
2014003539.tif 000005
【図４】
2014003539.tif 000006
【図５】
2014003539.tif 000007
【図６】
2014003539.tif 000008
【図７】
2014003539.tif 000009
【図８】
2014003539.tif 000010
【図９】
2014003539.tif 000011
【図１０】
2014003539.tif 000012
【図１１Ａ】
2014003539.tif 000013
【図１１Ｂ】
2014003539.tif 000014
【図１２】
2014003539.tif 000015
【図１３Ａ】
2014003539.tif 000016
【図１３Ｂ】
2014003539.tif 000017
【図１４】
2014003539.tif 000018
【図１５】
2014003539.tif 000019